(57)【要約】【課題】デジタルカメラ等の撮影装置において、とくに人物顔が正面を向いている好ましい状態の画像を取得できるようにする。【解決手段】デジタルカメラ１において、ＣＣＤ５８が逐次撮影した画像を取り込み、顔判定部８０が画像に顔が含まれるか否かを判定する。顔が含まれる場合には、さらに顔が正面を向いているか否かを判定する。顔が正面を向いている場合には、取り込んだ画像を外部記録メディア７０に記録する。【選択図】図３
2007208355.tif 000002
【特許請求の範囲】
【請求項１】
撮影動作によって被写体を撮像することにより、該被写体の画像を取得する撮像手段と、
前記画像を記録する記録手段とを備えた撮影装置において、
前記撮影動作がなされた場合に、前記撮像手段が撮像した画像を逐次取り込み、該取り込んだ画像に顔が含まれるか否かを判定し、該顔が含まれる場合に、該顔が正面を向いているか否かを判定する顔判定手段と、
前記顔が正面を向いていると判定された場合に、前記取り込んだ画像を前記記録手段に記録する記録制御手段とを備えたことを特徴とする撮影装置。
【請求項２】
撮影動作によって被写体を撮像することにより、該被写体の画像を取得する撮像手段と、
前記画像を記録する記録手段とを備えた撮影装置において、
前記撮影動作がなされた場合に、前記撮像手段が撮像した画像を前記記録手段に記録する記録制御手段と、
前記記録された画像に顔が含まれるか否かを判定し、該顔が含まれる場合に、該顔が正面を向いているか否かを判定する顔判定手段と、
前記顔が正面を向いていないと判定された場合に警告を行う警告手段とを備えたことを特徴とする撮影装置。
【請求項３】
撮影動作によって被写体を撮像することにより、該被写体の画像を取得する撮像手段と、
前記画像を記録する記録手段とを備えた撮影装置における撮影方法において、
前記撮影動作がなされた場合に、前記撮像手段が撮像した画像を逐次取り込み、
該取り込んだ画像に顔が含まれるか否かを判定し、
該顔が含まれる場合に、該顔が正面を向いているか否かを判定し、
前記顔が正面を向いていると判定された場合に、前記取り込んだ画像を前記記録手段に記録することを特徴とする撮影方法。
【請求項４】
撮影動作によって被写体を撮像することにより、該被写体の画像を取得する撮像手段と、
前記画像を記録する記録手段とを備えた撮影装置における撮影方法において、
前記撮影動作がなされた場合に、前記撮像手段が撮像した画像を前記記録手段に記録し、
前記記録された画像に顔が含まれるか否かを判定し、
該顔が含まれる場合に、該顔が正面を向いているか否かを判定し、
前記顔が正面を向いていないと判定された場合に警告を行うことを特徴とする撮影方法。
【請求項５】
撮影動作によって被写体を撮像することにより、該被写体の画像を取得する撮像手段と、
前記画像を記録する記録手段とを備えた撮影装置における撮影方法をコンピュータに実行させるためのプログラムにおいて、
前記撮影動作がなされた場合に、前記撮像手段が撮像した画像を逐次取り込む手順と、
該取り込んだ画像に顔が含まれるか否かを判定する手順と、
該顔が含まれる場合に、該顔が正面を向いているか否かを判定する手順と、
前記顔が正面を向いていると判定された場合に、前記取り込んだ画像を前記記録手段に記録する手順とを有することを特徴とするプログラム。
【請求項６】
撮影動作によって被写体を撮像することにより、該被写体の画像を取得する撮像手段と、
前記画像を記録する記録手段とを備えた撮影装置における撮影方法をコンピュータに実行させるためのプログラムにおいて、
前記撮影動作がなされた場合に、前記撮像手段が撮像した画像を前記記録手段に記録する手順と、
前記記録された画像に顔が含まれるか否かを判定する手順と、
該顔が含まれる場合に、該顔が正面を向いているか否かを判定する手順と、
前記顔が正面を向いていないと判定された場合に警告を行う手順とを有することを特徴とするプログラム。
【発明の詳細な説明】
【技術分野】
【０００１】
本発明は、撮影により画像を取得するデジタルカメラ等の撮影装置および撮影方法並びに撮影方法をコンピュータに実行させるためのプログラムに関するものである。
【背景技術】
【０００２】
デジタルカメラに自動で撮影を行わせるための各種手法が提案されている。例えば、特許文献１には、カメラが撮影した画像から人物の被写体の表情を表す形状を繰り返し抽出し、抽出された被写体の形状と所定の形状との一致度が所定の値を越えたときに、被写体が望ましいと思われる表情やポーズになったとして、自動的に撮影を行う手法が提案されている。
【０００３】
また、特許文献２には、被写体である人物が重なる等してその一部が欠けてしまった場合や人物の顔が正面を向いていない場合に、撮影状態が不良であると判断して、被写体である人物に警告し、撮影状態が良好になった場合に自動で撮影を行うようにした手法も提案されている。
【特許文献１】特開２００４−２９４４９８号公報
【特許文献２】特開２００５−３８５２号公報
【発明の開示】
【発明が解決しようとする課題】
【０００４】
しかしながら、上述したように自動で撮影を行った場合、シャッタ動作から画像が取得されるまでのタイムラグにより、被写体の状態が変わってしまう場合がある。とくに被写体が子供であると、静止している状態を保つことが困難であることから、自動撮影を行っても人物の顔が正面を向いていない画像が取得されてしまう場合が多い。
【０００５】
本発明は、上記事情に鑑みなされたものであり、デジタルカメラ等の撮影装置において、とくに人物の顔が正面を向いている好ましい状態の画像を取得できるようにすることを目的とする。
【課題を解決するための手段】
【０００６】
本発明による第１の撮影装置は、撮影動作によって被写体を撮像することにより、該被写体の画像を取得する撮像手段と、
前記画像を記録する記録手段とを備えた撮影装置において、
前記撮影動作がなされた場合に、前記撮像手段が撮像した画像を逐次取り込み、該取り込んだ画像に顔が含まれるか否かを判定し、該顔が含まれる場合に、該顔が正面を向いているか否かを判定する顔判定手段と、
前記顔が正面を向いていると判定された場合に、前記取り込んだ画像を前記記録手段に記録する記録制御手段とを備えたことを特徴とするものである。
【０００７】
本発明による第２の撮影装置は、撮影動作によって被写体を撮像することにより、該被写体の画像を取得する撮像手段と、
前記画像を記録する記録手段とを備えた撮影装置において、
前記撮影動作がなされた場合に、前記撮像手段が撮像した画像を前記記録手段に記録する記録制御手段と、
前記記録された画像に顔が含まれるか否かを判定し、該顔が含まれる場合に、該顔が正面を向いているか否かを判定する顔判定手段と、
前記顔が正面を向いていないと判定された場合に警告を行う警告手段とを備えたことを特徴とするものである。
【０００８】
本発明による第１の撮影方法は、撮影動作によって被写体を撮像することにより、該被写体の画像を取得する撮像手段と、
前記画像を記録する記録手段とを備えた撮影装置における撮影方法において、
前記撮影動作がなされた場合に、前記撮像手段が撮像した画像を逐次取り込み、
該取り込んだ画像に顔が含まれるか否かを判定し、
該顔が含まれる場合に、該顔が正面を向いているか否かを判定し、
前記顔が正面を向いていると判定された場合に、前記取り込んだ画像を前記記録手段に記録することを特徴とするものである。
【０００９】
本発明による第２の撮影方法は、前記画像を記録する記録手段とを備えた撮影装置における撮影方法において、
前記撮影動作がなされた場合に、前記撮像手段が撮像した画像を前記記録手段に記録し、
前記記録された画像に顔が含まれるか否かを判定し、
該顔が含まれる場合に、該顔が正面を向いているか否かを判定し、
前記顔が正面を向いていないと判定された場合に警告を行うことを特徴とするものである。
【００１０】
なお、本発明による第１および第２の撮影方法をコンピュータに実行させるためのプログラムとして提供してもよい。
【発明の効果】
【００１１】
本発明の第１の撮影装置および方法によれば、撮影動作がなされた場合に、撮像手段が撮像した画像を逐次取り込み、取り込んだ画像に顔が含まれるか否かを判定し、顔が含まれる場合にさらに顔が正面を向いているか否かを判定する。そして、正面を向いている場合に、取り込んだ画像を記録手段に記録するようにしたものである。このため、シャッタのタイムラグに関係なく、常に顔が正面を向いた画像を取得することができる。
【００１２】
本発明の第２の撮影装置および方法によれば、撮影動作がなされた場合に撮像手段が撮像した画像を記録手段に記録し、記録した画像に顔が含まれるか否かを判定し、顔が含まれる場合にさらに顔が正面を向いているか否かを判定する。そして、正面を向いていないと判定された場合に、警告を行うようにしたものである。このため、撮影者は警告がなされた場合に撮影をやり直すことができ、これにより、常に顔が正面を向いた画像を取得することができる。
【発明を実施するための最良の形態】
【００１３】
以下、図面を参照して本発明の実施形態について説明する。図１は本発明の撮影装置の第１の実施形態であるデジタルカメラ１の背面を中心とする斜視図である。図１に示すように、このデジタルカメラ１の背面には、撮影者による操作のためのインターフェースとして、動作モードスイッチ１１、メニュー／ＯＫボタン１２、ズーム／上下矢印レバー１３、左右矢印ボタン１４、Ｂａｃｋ（戻る）ボタン１５、表示切替ボタン１６を有している他、ファインダ１７、液晶モニタ１８を有している。また、上面には、レリーズボタン１９を有している。図２は第１の実施形態によるデジタルカメラ１の前面を中心とする斜視図である。図２に示すように、前面には、レンズ２０、レンズカバー２１、電源スイッチ２２、ファインダ窓２３、ストロボ２４、セルフタイマーランプ２５を有している。
【００１４】
動作モードスイッチ１１は、静止画撮影モード、動画撮影モード、および再生モードの各動作モードを切り替えるためのスライドスイッチである。
【００１５】
メニュー／ＯＫボタン１２は、押下することによって、撮影モード、ストロボ発光モード、記録画素数や感度等の設定を行うための各種メニューを液晶モニタ１８に表示させたり、液晶モニタ１８に表示されたメニューに基づく選択・設定を確定させたりするためのボタンである。なお、メニュー／ＯＫボタン１２により、撮影モードを露出やホワイトバランスをすべて自動で設定するためのオートモード、およびマニュアルで設定するためのマニュアルモードに設定可能である。
【００１６】
ズーム／上下矢印レバー１３は、上下方向にレバーを倒すことによって、撮影時は望遠／広角の調整を行い、各種設定時は液晶モニタ１８に表示されるメニュー画面中のカーソルを上下に移動させるためのレバーである。
【００１７】
左右矢印ボタン１４は、各種設定時に液晶モニタ１８に表示されるメニュー画面中のカーソルを左右に移動させるためのボタンである。
【００１８】
Ｂａｃｋ（戻る）ボタン１５は、押下することによって各種設定操作を中止し、１つ前の画面に戻るためのボタンである。
【００１９】
表示切替ボタン１６は、押下することによって、液晶モニタ１８の表示のＯＮ／ＯＦＦ、各種ガイド表示、文字表示のＯＮ／ＯＦＦ等を切り替えるためのボタンである。
【００２０】
各ボタン、レバーの操作によって設定された内容は、液晶モニタ１８中の表示や、ファインダ内のランプ、スライドレバーの位置等によって確認することができるようになっている。
【００２１】
液晶モニタ１８は、撮影の際に被写体確認用のスルー画を表示することにより、電子ビューファインダとして機能する他、撮影後の静止画や動画の再生表示、各種設定メニューの表示を行う。
【００２２】
図３は本発明の撮影装置の第１の実施形態であるデジタルカメラの構成を示す概略ブロック図である。図３に示すデジタルカメラ１は、撮影により取得した画像データを、Ｅｘｉｆ形式の画像ファイルに変換して、本体に着脱可能な外部記録メディア７０へ記録するものである。
【００２３】
このデジタルカメラの操作系としては、前述の動作モードスイッチ１１、メニュー／ＯＫボタン１２、ズーム／上下矢印レバー１３、左右矢印ボタン１４、Ｂａｃｋ（戻る）ボタン１５、表示切替ボタン１６、レリーズボタン１９、電源スイッチ２２と、これらのスイッチ類の操作内容をＣＰＵ７５に伝えるためのインターフェース部分である操作系制御部７４とを有している。
【００２４】
光学系としては、フォーカスレンズ２０ａおよびズームレンズ２０ｂを有している。各々のレンズは、モータとモータドライバとからなるフォーカスレンズ駆動部５１およびズームレンズ駆動部５２によって光軸方向に移動可能である。フォーカスレンズ駆動部５１はＡＦ処理部６２から出力されるフォーカス駆動量データに基づいて、ズームレンズ駆動部５２はズーム／上下矢印レバー１３の操作量データに基づいて、各々のレンズの移動を制御する。
【００２５】
また、絞り５４は、モータとモータドライバとからなる絞り駆動部５５によって駆動される。この絞り駆動部５５は、ＡＥ／ＡＷＢ処理部６３から出力される絞り値データに基づいて絞り径の調整を行う。
【００２６】
シャッタ５６は、メカニカルシャッタであり、モータとモータドライバとからなるシャッタ駆動部５７によって駆動される。シャッタ駆動部５７は、レリーズボタン１９の押下により発生する信号と、ＡＥ／ＡＷＢ処理部６３から出力されるシャッタスピードデータとに応じて、シャッタ５６の開閉の制御を行う。
【００２７】
光学系の後方には、撮像素子であるＣＣＤ５８を有している。ＣＣＤ５８は、多数の受光素子を２次元的に配列した光電面を有しており、光学系を通過した被写体光がこの光電面に結像し、光電変換される。光電面の前方には、各画素に光を集光するためのマイクロレンズアレイと、Ｒ，Ｇ，Ｂ各色のフィルタが規則的に配列されたカラーフィルタアレイとが配置されている。ＣＣＤ５８は、ＣＣＤ制御部５９から供給される垂直転送クロックおよび水平転送クロックに同期して、画素毎に蓄積された電荷を１ラインずつシリアルなアナログ撮影信号として出力する。各画素において電荷を蓄積する時間、すなわち、露出時間は、ＣＣＤ制御部５９から与えられる電子シャッタ駆動信号によって決定される。
【００２８】
ＣＣＤ５８から取り込まれたアナログ撮影信号は、アナログ信号処理部６０に入力される。アナログ信号処理部６０は、アナログ信号のノイズを除去する相関２重サンプリング回路（ＣＤＳ）と、アナログ信号のゲインを調節するオートゲインコントローラ（ＡＧＣ）と、アナログ信号をデジタル信号に変換するＡ／Ｄコンバータ（ＡＤＣ）とからなる。このデジタル信号に変換された画像データは、画素毎にＲ，Ｇ，Ｂの濃度値を持つＣＣＤ−ＲＡＷデータである。
【００２９】
タイミングジェネレータ７２は、タイミング信号を発生させるものであり、このタイミング信号をシャッタ駆動部５７、ＣＣＤ制御部５９、アナログ信号処理部６０に供給することにより、レリーズボタン１９の操作、シャッタ５６の開閉、ＣＣＤ５８の電荷の取り込み、およびアナログ信号処理部６０の処理の同期を取っている。
【００３０】
ストロボ制御部７３は、撮影時にストロボ２４を発光させる。
【００３１】
画像入力コントローラ６１は、アナログ信号処理部６０から入力されたＣＣＤ−ＲＡＷデータをフレームメモリ６６に書き込む。
【００３２】
フレームメモリ６６は、画像データに対して後述の各種デジタル画像処理（信号処理）を行う際に使用する作業用メモリであり、例えば、一定周期のバスクロック信号に同期してデータ転送を行うＳＤＲＡＭ(Synchronous Dynamic Random Access Memory)が使用される。
【００３３】
表示制御部７１は、フレームメモリ６６に格納された画像データをスルー画像として液晶モニタ１８に表示させたり、再生モード時に外部記録メディア７０に保存されている画像データを液晶モニタ１８に表示させたりするためのものである。なお、スルー画像は、撮影モードが選択されている間、所定間隔でＣＣＤ５８により撮影される。
【００３４】
ＡＦ処理部６２およびＡＥ／ＡＷＢ処理部６３は、プレ画像に基づいて撮影条件を決定する。このプレ画像とは、レリーズボタン１９が半押しされることによって発生する半押し信号を検出したＣＰＵ７５がＣＣＤ５８にプレ撮影を実行させた結果、フレームメモリ６６に格納された画像データにより表される画像である。
【００３５】
ＡＦ処理部６２は、プレ画像に基づいて焦点位置を検出し、フォーカス駆動量データを出力する（ＡＦ処理）。焦点位置の検出方式としては、例えば、ピントが合った状態では画像のコントラストが高くなるという特徴を利用して合焦位置を検出するパッシブ方式が考えられる。
【００３６】
ＡＥ／ＡＷＢ処理部６３は、プレ画像に基づいて被写体輝度を測定し、測定した被写体輝度に基づいて絞り値、シャッタスピード等を決定し、絞り値データおよびシャッタスピードデータを露出設定値として決定するとともに（ＡＥ処理）、撮影時のホワイトバランスを自動調整する（ＡＷＢ）。なお、露出およびホワイトバランスについては、撮影モードがマニュアルモードに設定されている場合には、デジタルカメラ１のユーザがマニュアル操作により設定可能である。また、露出およびホワイトバランスが自動で設定された場合にも、ユーザがメニュー／ＯＫボタン１２等の操作系から指示を行うことにより、露出およびホワイトバランスをマニュアル調整することが可能である。
【００３７】
画像処理部６４は、後述するように人物の顔が正面を向いていると判定された本画像の画像データに対して、ガンマ補正、シャープネス補正、コントラスト補正等の画質補正処理、ＣＣＤ−ＲＡＷデータを輝度信号であるＹデータと、青色色差信号であるＣｂデータおよび赤色色差信号であるＣｒデータとからなるＹＣＣデータに変換するＹＣＣ処理を行う。この本画像とは、レリーズボタン１９が全押しされることによって実行される本撮影においてＣＣＤ５８から逐次取り込まれ、アナログ信号処理部６０、画像入力コントローラ６１経由でフレームメモリ６６に逐次格納される画像データによる画像である。本画像の画素数の上限は、ＣＣＤ５８の画素数によって決定されるが、例えば、ファイン、ノーマル等の設定により、記録画素数を変更することができる。一方、スルー画像およびプレ画像の画像数は、本画像よりも少なく、例えば、本画像の１／１６程度の画素数で取り込まれる。
【００３８】
なお、本撮影時においては、本画像の取得の処理（すなわちＣＣＤ５８による撮像信号の取り込みおよびアナログ信号処理部６０における処理）は後述するように本画像に含まれる人物の顔が正面を向いている状態となるまで繰り返し行われる。
【００３９】
圧縮／伸長処理部６５は、画像処理部６４によって補正・変換処理が行われ、かつ人物の顔が正面を向いていると判定された本画像の画像データに対して、例えば、ＪＰＥＧ等の圧縮形式で圧縮処理を行い、画像ファイルを生成する。この画像ファイルには、Ｅｘｉｆフォーマット等に基づいて、撮影日時等の付帯情報が格納されたタグが付加される。また、圧縮／伸長処理部６５は、再生モードの場合には、外部記録メディア７０から圧縮された画像ファイルを読み出し、伸張処理を行う。伸長後の画像データは液晶モニタ１８に出力される。
【００４０】
メディア制御部６７は、外部記録メディア７０にアクセスして画像ファイルの書き込みと読み込みの制御を行う。
【００４１】
内部メモリ６８は、デジタルカメラ１において設定される各種定数、およびＣＰＵ７５が実行するプログラム等を格納する。
【００４２】
顔判定部８０は、本撮影により逐次取得される本画像に顔が含まれるか否かを判定し、顔が含まれる場合に、顔が正面を向いているか否かを判定する。そして、顔が正面を向いている場合には、その旨をＣＰＵ７５に出力する。なお、本画像に複数の人物が含まれている場合には、すべての人物の顔が正面を向いているか否かを判定する。また、顔が正面を向いているか否かの判定は、撮影前に撮影者によりデジタルカメラ１に入力されて内部メモリ６８に格納された、撮影する被写体に含まれる人物の数を用いて行う。ここで、人物の顔が含まれるか否かの判定は、顔に含まれる顔の特徴を有する領域（例えば肌色を有する、顔の形状を有する等）が画像に含まれているか否かを判定することにより行えばよいが、これに限定されるものではない。
【００４３】
ＣＰＵ７５は、動作モードスイッチ１１等の操作系やＡＦ処理部６２等の各種処理部からの信号に応じてデジタルカメラ１の本体各部を制御する。
【００４４】
データバス７６は、画像入力コントローラ６１、各種処理部６２〜６５、フレームメモリ６６、メディア制御部６７、内部メモリ６８、表示制御部７１、顔判定部８０、およびＣＰＵ７５に接続されており、デジタル画像データ等のやり取りを行う。
【００４５】
次いで、以上の構成のデジタルカメラ１において本撮影時に行われる処理について説明する。図４は第１の実施形態において本撮影時に行われる処理を示すフローチャートである。
【００４６】
レリーズボタン１９が全押しされることによりＣＰＵ７５が処理を開始し、顔判定部８０が、ＣＣＤ５８が撮像し、アナログ信号処理部６０においてデジタル信号に変換された本画像を取り込む（ステップＳＴ１）。次いで、本画像に顔が含まれるか否かを判定し（ステップＳＴ２）、ステップＳＴ２が肯定されると正面顔判定処理を行う（ステップＳ３）。なお、ステップＳＴ２が否定されると後述するステップＳＴ５に進む。
【００４７】
図５は正面顔判定処理のフローチャートである。なお、正面顔判定処理は、例えば特開２００４−３３６２６５号公報に記載された手法を用いるものとするが、これに限定されるものではない。まず、顔判定部８０は、本画像から目の候補を抽出する（ステップＳＴ１１）。具体的には、本画像に対してウエーブレット変換を行い、適切な位置と周波数のウエーブレット係数を取り出して量子化する等して、目と見なせる特徴の部分を目の候補として抽出する。
【００４８】
次いで、抽出された目の候補のデータと、多数のサンプル画像から上記と同様の特徴抽出処理を行うことにより作成しておいた目辞書データとの一致度を算出する（ステップＳＴ１２）。そして、一致度が所定のしきい値Ｔｈ１を超えた目の候補の数と撮影者が登録した被写体の人数に対応する目の数と一致するか否かを判定する（ステップＳＴ１３）。すなわち、登録した被写体の人数が２である場合に、目の候補の数が４であるか否かを判定する。
【００４９】
ステップＳＴ１３が肯定されると、本画像に含まれる人物の顔はすべて正面を向いているとの情報を出力し（ステップＳＴ１４）、リターンする。ステップＳＴ１３が否定されると、正面を向いていない人物がいるとの情報を出力し（ステップＳＴ１５）、リターンする。
【００５０】
図４に戻り、ステップＳＴ３に続いて、すべての人物が正面を向いているか否かを判定し（ステップＳＴ４）、ステップＳＴ４が否定されると、ステップＳＴ１に戻って新たな本画像を取り込み、ステップＳＴ１以降の処理を繰り返す。
【００５１】
ステップＳＴ４が肯定されると、現在処理中の本画像に対して画像処理部６４が画質補正処理およびＹＣＣ処理を施し（ステップＳＴ５）、処理済みの本画像を液晶モニタ１８に表示するとともに、外部記録メディア７０に記録し（ステップＳＴ６）、本撮影の処理を終了する。
【００５２】
このように、第１の実施形態においては、本画像に顔が含まれるか否かを判定し、顔が含まれる場合にさらにすべての顔が正面を向いているか否かを判定し、すべての顔が正面を向いている場合に、取り込んだ本画像に画質補正処理およびＹＣＣ処理を施して外部記録メディア７０に記録するようにしたものである。このため、シャッタのタイムラグに関係なく、常に顔が正面を向いた画像を取得することができる。
【００５３】
なお、上記第１の実施形態においては、アナログ信号処理部６０においてデジタル信号に変換された本画像に含まれる人物の顔が正面を向いているか否かの判定を行っているが、画像処理部６４において処理が施された後の本画像を用いて、人物の顔が正面を向いているか否かの判定を行うようにしてもよい。この場合、正面を向いていると判定された本画像は、直ちに外部記録メディア７０に記録される。
【００５４】
次いで、本発明の第２の実施形態について説明する。図６は本発明の撮影装置の第２の実施形態であるデジタルカメラの構成を示す概略ブロック図である。なお、第２の実施形態において第１の実施形態と同一の構成については同一の参照番号を付与し、ここでは詳細な説明は省略する。第２の実施形態によるデジタルカメラ１Ａは、本撮影により取得された本画像を外部記録メディア７０に記録し、顔判定部８０が、外部記録メディア７０に記録された本画像に顔が含まれるか否かを判定し、顔が含まれる場合に、顔が正面を向いているか否かを判定する。そして、顔が正面を向いていない場合に、警告部８２が警告を行うようにしたものである。
【００５５】
次いで、第２の実施形態において行われる処理について説明する。なお、第２の実施形態においても、撮影前に、撮影者により撮影する被写体に含まれる人物の数がデジタルカメラ１に入力されて内部メモリ６８に格納されるものとする。
【００５６】
レリーズボタン１９が全押しされることによりＣＰＵ７５が処理を開始し、画像処理部６４が、ＣＣＤ５８が撮像し、アナログ信号処理部６０においてデジタル信号に変換された本画像に対して、画質補正処理およびＹＣＣ処理を施し（ステップＳＴ２１）、処理済みの本画像を液晶モニタ１８に表示するとともに、外部記録メディア７０に記録する（ステップＳＴ２２）。
【００５７】
次いで、顔判定部８０が、外部記録メディア７０に記録された本画像に顔が含まれるか否かを判定し（ステップＳＴ２３）、ステップＳＴ２３が肯定されると図５に示す正面顔判定処理を行う（ステップＳ２４）。なお、ステップＳＴ２３が否定されると処理を終了する。
【００５８】
ステップＳＴ２４に続いて、すべての人物が正面を向いているか否かを判定し（ステップＳＴ２５）、ステップＳＴ２５が肯定されると処理を終了する。ステップＳＴ２５が否定されると、警告部８２が警告を行い（ステップＳＴ２６）、処理を終了する。
【００５９】
なお、警告部８２が行う警告としては、例えば図８に示すように液晶モニタ１８に「もう一度撮り直して下さい」というようなメッセージを表示するものであってもよく、メッセージを音声により出力したり、特定の警告音を出力するものであってもよい。また、デジタルカメラ１の本体にＬＥＤ等の点灯部を設け、点灯部を点灯あるいは点滅させることにより警告を行うものであってもよい。
【００６０】
このように、本発明の第２の実施形態によれば、本画像を外部記録メディア７０に記録し、記録した本画像に顔が含まれるか否かを判定し、顔が含まれる場合にさらに顔が正面を向いているか否かを判定し、正面を向いていないと判定された場合に警告を行うようにしたものである。このため、撮影者は警告がなされた場合に撮影をやり直すことができ、これにより、常に顔が正面を向いた画像を取得することができる。
【００６１】
なお、上記第２の実施形態においては、すべての人物が正面を向いていないと判定された画像については、外部記録メディア７０にそのまま記録しておいてもよいが、外部記録メディア７０から削除するようにしてもよい。
【００６２】
以上、本発明の実施形態に係るデジタルカメラについて説明したが、コンピュータを、上記の顔判定部８０および警告部８２に対応する手段として機能させ、図４，５，７に示すような処理を行わせるプログラムも、本発明の実施形態の１つである。また、そのようなプログラムを記録したコンピュータ読取り可能な記録媒体も、本発明の実施形態の１つである。
【図面の簡単な説明】
【００６３】
【図１】本発明の撮影装置の第１の実施形態であるデジタルカメラの背面を中心とする斜視図
【図２】本発明の撮影装置の第１の実施形態であるデジタルカメラの前面を中心とする斜視図
【図３】本発明の撮影装置の第１の実施形態であるデジタルカメラの構成を示す概略ブロック図
【図４】第１の実施形態において行われる処理を示すフローチャート
【図５】正面顔判定処理のフローチャート
【図６】本発明の撮影装置の第２の実施形態であるデジタルカメラの構成を示す概略ブロック図
【図７】第２の実施形態において行われる処理を示すフローチャート
【図８】警告の例を示す図
【符号の説明】
【００６４】
１  デジタルカメラ
１８    液晶モニタ
５８    ＣＣＤ
５９    ＣＣＤ制御部
６４    画像処理部
７０    外部記録メディア
７１    表示制御部
７５    ＣＰＵ
８０    顔判定部
８２    警告部
【図１】
2007208355.tif 000003
【図２】
2007208355.tif 000004
【図３】
2007208355.tif 000005
【図４】
2007208355.tif 000006
【図５】
2007208355.tif 000007
【図６】
2007208355.tif 000008
【図７】
2007208355.tif 000009
【図８】
2007208355.tif 000010